(57)【要約】【課題】入賞口へ入賞する遊技球の入賞動作を安定させると共に入賞口の開閉動作の信頼性の高い可変入賞装置を提供する。【解決手段】常態では、開閉体３１はケース体３２の入球開口３２ａを閉じた閉鎖位置に保持されており、遊技球を遊技盤に沿って流下させる。また、所定の条件が成立したことを条件にソレノイド３３へ通電して揺動部材３５を通じて開閉体３１及び可動誘導体３１ｂを第一位置から第二位置へ変位させて入球開口３２ａより入球した遊技球を入賞口３２ｂへ誘導して入賞させる。入賞球検出スイッチ３６より入賞した遊技球が所定個数になったことが検出されると、ソレノイド３３が消磁して開閉体３１及び可動誘導体３１ｂを第二位置から第一位置へ変位させて、開閉体３１は入球開口３２ａを閉鎖して遊技球のケース体３２内への入球を阻止し可動誘導体３１ｂはケース体３２内で遊技球の放出口３２ｐへの流下を許容する。【選択図】図６
2016022207.tif 000002
【特許請求の範囲】
【請求項１】
遊技盤の遊技領域を流下する遊技球を導入する入球開口が開設されたケース体と、
前記入球開口から入球した遊技球を入賞させる入賞口と、
前記入賞口へ入賞しない遊技球を流下させて前記遊技領域へ放出する放出口と、
前記入賞口へ入賞した遊技球を検出する入賞球検出手段と、
前記入球開口を開閉する開閉体と、
前記開閉体の開閉動作と連動して前記入球開口より前記ケース体内に入球した遊技球を前記放出口へ流下させる第一位置と、前記入賞口へ誘導する第二位置との間で変位する可動誘導体と、
前記可動誘導体を前記第一位置と前記第二位置との間で変位させる駆動手段と、を具備し、
前記駆動手段は、前記入賞球検出手段によって入賞した遊技球が所定個数を検出すると、前記可動誘導体を前記第二位置から前記第一位置へ変位させることを特徴とする可変入賞装置。
【請求項２】
前記開閉体及び前記可動誘導体は前記遊技盤と平行方向に軸支される回転軸を中心として回動可能に軸支されている請求項１記載の可変入賞装置。
【請求項３】
前記入賞口は、前記第二位置の前記可動誘導体の下流側端部に臨む前記ケース体側壁に形成されている請求項１又は２記載の可変入賞装置。
【請求項４】
前記駆動手段は、駆動源の駆動を前記開閉体及び前記可動誘導体へ各々同期をとって駆動伝達する駆動伝達手段を備えている請求項１乃至請求項３のいずれか１項記載の可変入賞装置。
【請求項５】
前記開閉体と前記可動誘導体は、同一の回転軸の周囲に対向する位置に設けられた一対の羽根により各々形成される回転体である請求項１乃至請求項３のいずれか１項記載の可変入賞装置。
【請求項６】
前記回転体の回転軸の周面には前記駆動源に連繋する伝達部材が係合し、前記開閉体を常態で前記閉鎖位置に保持する閉鎖カム溝と所定条件が成立したことを条件に前記開閉体を前記開放位置に保持する開放カム溝とが連続するカム溝が形成されている請求項５記載の可変入賞装置。
【請求項７】
請求項１乃至請求項６のいずれか１項記載の可変入賞装置を備え、入賞した所定数の遊技球に対応する既定の賞球を球払出装置から球受け皿に払い出す遊技機。
【発明の詳細な説明】
【技術分野】
【０００１】
本発明は、可変入賞装置及びこれを備えた遊技機に関する。
【背景技術】
【０００２】
パチンコ機などの遊技機は、球受け皿に貯留された遊技球を球発射装置の発射位置へ誘導し、前枠又は内枠に設けた発射ハンドルの操作により球発射装置を作動させて遊技盤の遊技領域に向かって遊技球を発射させる。遊技盤には、図柄表示装置や風車、チャッカー、賞球が払い出される普通入賞口や賞球が払い出されるともに図柄表示装置で抽選が開始される始動入賞口、大当たり（大入賞）が発生した場合に開口するアタッカー（可変入賞装置）などの役物が設けられている。
【０００３】
入賞口やアタッカーに遊技球が入賞すると、入賞した球数だけ、所定の賞球が払出し装置から打球受け皿に払い出される。風車に打球入賞口を設けて風車の回転を許容若しくは阻止して風車と入賞装置を一体化した入賞装置（特許文献１）や、左右に設けられた羽根車が自由回転して遊技球を落下させる状態と、強制回転させて特別入賞口や一般入賞口に遊技球を誘導する状態を切り替える入賞装置（特許文献２）などが提案されている。また、大入賞口を開閉する開閉部材を、側面視十字状に交差して設けられた枠体部と平板部とで形成し、一方向に回転させることで、大入賞口を開閉する開閉装置（特許文献３）が提案されている。これらは遊技者の興趣を向上させたり、開閉速度を向上させるものであるが、風車の回転を阻止したり羽根車や開閉部材を強制回転させたりする際に、規定数より多い複数の遊技球を入賞口へ導いてしまうため、球払出装置から払い出される賞球数がばらつくおそれがあった。
【０００４】
この遊技球の大入賞口への入賞個数を安定させるため、遊技盤の取付孔に前枠部及び後枠部を備えた枠体部が組み付けられ、該枠体部の入賞開口内に枠状の開閉部材を配置し、遊技球を入賞開口を流下させる開口位置と入賞開口を塞いで大入賞口へ遊技球を案内する入賞位置とで前後に位置を切り替えるようにした大入賞口装置も提案されている（特許文献４参照。）或いは、遊技領域に形成された凹部の底部に入賞口が形成され、当該入賞口をシャッター部材により開閉することで、遊技球を迅速に入賞口へ入賞させて遊技球の検出を行うようにした遊技機も提案されている（特許文献５参照）。
【先行技術文献】
【特許文献】
【０００５】
【特許文献１】実開４−１９６９号公報
【特許文献２】特開平６−３２７８１９号公報
【特許文献３】特許第５１５６５３６号公報
【特許文献４】特開２０１３−２２３５９０号公報
【特許文献５】特開２０１３−１７７２４号公報
【発明の開示】
【発明が解決しようとする課題】
【０００６】
上述した特許文献４の大入賞口装置においては、枠体部の入賞開口を流下する遊技球を、常時前枠部に沿った前方位置に配置した開閉部材を後退させて入球開口を塞いで流下した遊技球を案内面部にて右枠部より左枠部へ誘導し当該左枠部に設けられた大入賞スイッチを通過させて賞球をカウントした後、所定カウント数が通過すると、開閉部材を前枠部に沿った前方位置へ移動させて入賞開口を開放して遊技球を流下させるようになっている。
このように枠体部内部の空間を案内面部が形成されたレール状に横長の開閉部材が横切るように前後動するために、入賞開口へ流下した遊技球を対向する壁面との間で挟み込む（噛み込む）おそれがある。この場合には、開閉部材の開閉動作不良（ロック状態）となって大入賞スイッチを遊技球が通過できないか或いは通過する遊技球の数が規定数を超えてしまい入賞動作が不安定となるおそれがある。
また、特許文献５の遊技領域を流下した遊技球が入賞ユニットの上方からカバープレートとユニットベースとの間に進入して遊技球誘導部材に案内されて球転動面を大入賞口側に流下するようになっており、遊技球誘導部材上に規定個数を超える遊技球が載っていた場合には、シャッター部材が大入賞口を閉鎖する前に大入賞口に規定数を超えた遊技球が入賞するおそれがある。
【０００７】
本発明の課題は、上記実情に鑑みてなされたものであり、入賞口へ入賞する遊技球の入賞動作を安定させると共に入賞口の開閉動作の信頼性の高い可変入賞装置及びそれを用いて安定した賞球の払い出し動作が行える遊技機を提供することにある。
【課題を解決するための手段】
【０００８】
本発明は上記目的を達成するため、次の構成を備えることを特徴とする。
遊技盤の遊技領域を流下する遊技球を導入する入球開口が開設されたケース体と、前記入球開口から入球した遊技球を入賞させる入賞口と、前記入賞口へ入賞しない遊技球を流下させて前記遊技領域へ放出する放出口と、前記入賞口へ入賞した遊技球を検出する入賞球検出手段と、前記入球開口を開閉する開閉体と、前記開閉体の開閉動作に連動して前記入球開口より前記ケース体内に入球した遊技球を前記放出口へ流下させる第一位置と、前記入賞口へ誘導する第二位置との間で変位する可動誘導体と、前記可動誘導体を前記第一位置と前記第二位置との間で変位させる駆動手段と、を具備し、前記駆動手段は、前記入賞球検出手段によって入賞した遊技球が所定個数を検出すると、前記可動誘導体を前記第二位置から前記第一位置へ変位させることを特徴とする。
これにより、常態では、開閉体はケース体の入球開口を閉じた第一位置に保持されており、遊技球は遊技領域を流下する。また、所定の条件が成立したことを条件に（例えばアタッカーの場合、大当たりが発生した際に）開閉体が入球開口を開放し、駆動手段が駆動して可動誘導体を第一位置から第二位置へ変位させる。これにより、可動誘導体がケース体の内部空間を仕切ることで入球開口より入球した遊技球を入賞口へ誘導して入賞させる。
入賞球検出手段より入賞した遊技球が所定個数になったことが検出されると、開閉体は入球開口を閉鎖して遊技球のケース体内への入球を阻止し、駆動手段により可動誘導体を第二位置から第一位置へ変位させて、可動誘導体はケース体内で遊技球の放出口への流下を許容する。このとき、遊技球が可動誘導体に載っていたとしても、可動誘導体が第二位置から第一位置へ変位することによりケース体内に入球した遊技球が放出口を通じて遊技領域へ放出される。これにより、遊技球の入賞口への入賞動作を安定させると共にケース体内に規定数を超える遊技球を受け入れたとしても可動誘導体が第二位置から第一位置へ変位して放出口から遊技領域へ流下させるので入賞口の開閉動作の信頼性を高めることができる。
【０００９】
前記開閉体及び前記可動誘導体は前記遊技盤と平行方向に軸支される回転軸を中心として回動可能に軸支されていることが好ましい。
これにより、開閉体と可動誘導体の回動動作を確実に同期をとって行いやすく、開閉体が入球開口を閉鎖して遊技球のケース体内への入球を阻止する閉鎖位置（第一位置）及び可動誘導体が遊技球を入賞口へ誘導せず放出口へ流下させる第一位置と、開閉体が入球開口を開放して遊技球のケース体内への入球を許容する開放位置（第二位置）及び可動誘導体がケース体の内部空間を仕切ることで遊技球を入賞口へ誘導して入賞させる第二位置との切替え動作が同時にかつ迅速に行える。
【００１０】
前記入賞口は、前記第二位置の前記可動誘導体の下流側端部に臨む前記ケース体側壁に形成されていることが好ましい。
これにより、開閉体により入球開口が開放されると可動誘導体がケース体の内部空間を仕切る底部となったときにのみ遊技球を入賞口へ誘導して入賞させ、所定個数検知後に可動誘導体が変位し始めた時点で入賞口への入賞を阻止することができる。
【００１１】
前記駆動手段は、駆動源の駆動を前記開閉体及び前記可動誘導体へ同期をとって各々駆動伝達する駆動伝達手段を備えていてもよい。
駆動手段は、例えば単一の駆動源から開閉体及び可動誘導体へギア列を介して駆動伝達するようにしてもよいし、開閉体用駆動源、可動誘導体用駆動源を各々有し、これらの同期をとって回動駆動するようにしてもよい。
【００１２】
前記開閉体と前記可動誘導体は、同一の回転軸の周囲に対向する位置に設けられた一対の羽根により各々形成される回転体であってもよく、この場合前記回転体の回転軸の周面には前記駆動源に連繋する伝達部材が係合し、前記開閉体を常態で前記閉鎖位置（第一位置）に保持する閉鎖カム溝と所定条件が成立したことを条件に前記開閉体を前記開放位置（第二位置）に保持する開放カム溝とが連続するカム溝が形成されていてもよい。
これにより、駆動源を駆動することでカム溝に沿って伝達部材の係合部が移動することで回転体が閉鎖位置（第一位置）と開放位置（第二位置）との間を回動して一対の羽根により入球開口を迅速に開閉すると共にケース体の内部空間の仕切り形態を切り替えることによって入賞口への入賞許容と阻止形態を迅速に切り替えることができる。
また、回転体に設けられた一対の羽根のうち入球開口より手前側に傾斜する一方の羽根（開閉体）が球受け板となって遊技領域を流下した遊技球を受け止めて入球開口内へ誘導し、ケース体の奥側に位置する他方の羽根（可動誘導体）が遊技球を入賞口へ誘導する。このように、回転体の羽根（可動誘導体）が球誘導路を兼用するため、可変入賞装置を小型化することができ、遊技盤に対する配置の自由度が高まる。
【００１３】
また上述したいずれかの可変入賞装置を備え、入賞した所定数の遊技球に対応する既定の賞球を球払出装置から球受け皿に払い出す遊技機においては、所定の条件が成立した際に球払出装置から払い出される賞球の数も安定する。
【発明の効果】
【００１４】
上述した可変入賞装置及び遊技機を用いれば、入賞口へ入賞する遊技球の入賞動作を安定させると共に入賞口の開閉動作の信頼性の高い可変入賞装置及びそれを用いて安定した賞球の払い出し動作が行える遊技機を提供することができる。
【図面の簡単な説明】
【００１５】
【図１】パチンコ機の正面図である。
【図２】図１のパチンコ機の背面図である。
【図３】可変入賞装置の入賞開口を閉鎖した状態の正面図、左右側面図、平面図及び底面図、背面図である。
【図４】可変入賞装置の入賞開口を開放した状態の正面図、左右側面図、平面図及び底面図、背面図である。
【図５】可変入賞装置の入賞開口を閉鎖した状態の斜視図である。
【図６】可変入賞装置の入賞開口を開放した状態の斜視図である。
【図７】入賞開口を閉鎖した状態の駆動源、伝達機構、回転体の斜視説明図である。
【図８】入賞開口を開放した状態の駆動源、伝達機構、回転体の斜視説明図である。
【図９】可変入賞装置の分解斜視図である。
【図１０】可変入賞装置の回転体が開放位置から閉鎖位置（第一位置）へ切り替わる状態を示す正面図及び断面図である。
【図１１】他の実施例に係る可変入賞装置の正面図である。
【図１２】図１１の開閉体及び可動誘導体の開閉動作及び駆動伝達機構の一例を示す説明図である。
【発明を実施するための形態】
【００１６】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００１７】
先ずパチンコ機１の概略構成について説明すると、図１においてパチンコ機１の外形をなす矩形状の外枠２の側部に対して内枠ヒンジ４ａ，４ｂにより内枠３（図２参照）が開閉可能に取り付けられ、該内枠３の側部に対して前枠ヒンジ５ａ，５ｂにより前面枠５が開閉可能に取り付けられている。
【００１８】
前面枠５の中央部には遊技者が遊技盤６を視認できる窓部（ガラス枠）７が設けられている。該窓部７の上方には装飾ランプ８などが設けられている。また、窓部７の下方には、貸球や賞球を貯留し図示しない球発射装置へ球を誘導する球受け皿９が設けられている。球受け皿９の右側には、図示しない球発射装置を作動及び遊技球の発射力を調整するための発射ハンドル１０が設けられている。
【００１９】
遊技盤６の盤面上に形成される遊技領域内には、中央部に図柄表示装置（液晶表示装置）１１を備えたセンター役物１１ａが設けられ、その周囲には図示しない釘、スルーチャッカー１２、風車１３、電動チューリップ１４、可変入賞装置（アタッカー）１５、遊技盤レール１６、サイドランプ１７などの盤面部品やアウト球（電動チューリップ１４，アタッカー１５に入賞しなかった遊技球）を回収するアウト口１８などが設けられている。また、前面枠５にはシリンダ錠５ｃが設けられている。図示しないキーを鍵穴に挿入して回転操作することでシリンダ錠５ｃの開錠施錠が行われる。シリンダ錠５ｃはキーを差し込んで一方向へ回転させると外枠２と内枠３の施錠が開錠され、他方向へ回転させると前面枠５と内枠３の施錠が開錠するようになっている。
【００２０】
図２において、内枠３の背面側上辺部には貯留タンク１９が設けられ、貯留タンク１９にはパチンコ機１が配置されたホールの遊技機島から遊技球が供給される。貯留タンク１９は、球供給方向下流側（図２の右端側）に設けられるタンクレール２０に向けて底部が下方に傾斜するように形成されている。また、タンクレール２０は上下方向に流下する球通路２１を通じて球払出装置２２と接続されている。球払出装置２２は球払出樋２３を通じて遊技球を貸球、賞球として球受け皿９（図１参照）へ払い出される。
【００２１】
また、遊技盤６の背面側は盤裏カバー２４に覆われている。この盤裏カバー２４には、図柄表示装置１１とこれを制御する画像処理基板等（図示せず）が覆われている。また、パチンコ機１の遊技動作を統括制御する主制御基板２５は、基板収納ケースに収納されて封止されている。また、主制御基板２５のほかに、球払出装置２２の球払出し動作を制御する払出制御基板２６、球発射装置（図示せず）の動作を制御する発射制御基板２７などが設けられている。
【００２２】
次に、遊技盤６に設けられる可変入賞装置（アタッカー）１５の構成について、図３乃至図１２を参照して説明する。
可変入賞装置１５は、図１の遊技盤６の所定箇所に開設された開口部６ａに組み付けられ、常態では遊技領域を流下する遊技球を通過させ、大当たりが発生すると開閉体３１により閉鎖されていたケース体３２の入球開口３２ａ（図４（Ａ）参照）が開放されて遊技球を入球開口３２ａから導入し、ケース体３２内に設けられた入賞口３２ｂに入賞させるようになっている。
【００２３】
図３（Ａ）〜（Ｇ）及び図４（Ａ）〜（Ｇ）に示すように、ケース体３２の正面（遊技機前面側）には、遊技領域を流下する遊技球を導入する入球開口３２ａが設けられている。この入球開口３２ａを開閉する開閉体３１が回動可能に軸支されている。
開閉体３１はケース体３２に遊技盤６と平行方向に軸支される回転軸３１ａを備え、この回転軸３１ａを中心として１８０°対向する位置に遊技球を入賞口３２ｂへ誘導する可動誘導体３１ｂが一体に延設されている。実施の形態では、開閉体３１と可動誘導体３１ｂは、同一の回転軸３１ａの周囲に対向する位置に設けられた一対の羽根により各々一体に形成される回転体としている。
開閉体３１は、ケース体３２の入球開口３２ａを閉鎖して遊技領域の遊技球をそのまま遊技領域を流下させる閉鎖位置（第一位置；図３（Ａ）参照）と、入球開口３２ａの手前側に傾斜して入球開口３２ａを開放して遊技領域を流下した遊技球を受け止めて当該入球開口３２ａからケース体３２内（可動誘導体３１ｂ）へ誘導する開放位置（第二位置；図４（Ａ）参照）との間で回動し、開閉体３１は閉鎖位置若しくは開放位置で保持される。また、可動誘導体３１ｂは、開閉体３１の開閉動作と連動して入球開口３２ａよりケース体３２内に入球した遊技球を後述する放出口３２ｐへ流下させる第一位置と、ケース体３２の内部空間を仕切って遊技球を入賞口３２ｂ（図６参照）へ誘導する第二位置との間で回動する。開閉体３１は、常態では入球開口３２ａを閉鎖し、可動誘導体３１ｂは、遊技球を入賞口３２ｂへ誘導することなく放出口３２ｐへ流下させる。また、開閉体３１は、入球開口３２ａの開放時には、入球開口３２ａより手前側（前方）に傾斜して遊技領域を流下する遊技球を受け入球開口３２ａ内に導き、ケース体３２の奥側に位置する可動誘導体３１ｂは、入球開口３２ａ内に導かれた遊技球を入賞口３２ｂに導く。このように、開閉体３１と可動誘導体３１ｂを一体に設けたことにより、可変入賞装置１５を小型化することができ、遊技盤６（図１参照）に対する配置の自由度が高まる。
【００２４】
また、図７及び図８に示すように、ケース体３２内には、ソレノイド３３（駆動源）が設けられており、開閉体３１により入球開口３２ａの開閉位置を切り替えると共に、可動誘導体３１ｂを第一位置と第二位置との間で変位させるように駆動制御される。ケース体３２内には、ソレノイド３３（駆動源）の駆動を開閉体３１（可動誘導体３１ｂ）に伝達して回動位置を切り替える駆動伝達機構３４が設けられている。駆動伝達機構３４は、ケース体３２に装置前後方向に配置される揺動軸３５ａを中心に揺動可能な揺動部材３５（伝達部材）を備えている。
【００２５】
図５に示すように、開閉体３１（可動誘導体３１ｂ）の回転軸３１ａの一端側（正面視右端側）周面には、カム溝３１ｃが形成されている。カム溝３１ｃは、開閉体３１（可動誘導体３１ｂ）を閉鎖位置（第一位置）に保持する閉鎖カム溝３１ｄ、開閉体３１（可動誘導体３１ｂ）を装置手前側に所定角度回動させて開放位置（第二位置）に保持する開放カム溝３１ｅが連続するように設けられている。
【００２６】
図７及び図８に示すように、水平配置されたソレノイド３３のプランジャ３３ａの先端溝部３３ｂに、揺動部材３５の揺動軸３５ａの近傍に設けられた連係ピン３５ｂが係合し、カム溝３１ｃに揺動アーム３５ｃの先端部に設けられた係合ピン３５ｄ（係合部）が係合している。伝達機構３４は、回転軸３１ａに形成されたカム溝３１ｃに揺動部材３５の係合ピン３５ｄが常時係合したままソレノイド３３へ通電制御（ＯＮ／ＯＦＦ制御）することで、係合ピン３５ｄがカム溝３１ｃのうち閉鎖カム溝３１ｄ若しくは開放カム溝３１ｅのいずれかと係合するようになっている。なお、プランジャ３３ａにはスプリング（図示せず）が巻装されており、常態（ＯＦＦ状態）でスプリングの付勢によりプランジャ３３ａが突出した状態となっている。
【００２７】
常態においては、揺動部材３５の係合ピン３５ｄが閉鎖カム溝３１ｄと係合して開閉体３１（可動誘導体３１ｂ）を閉鎖位置（第一位置）に固定する（図７参照）。また、所定条件が成立した（例えば大当たりが発生した）ことを条件に、ソレノイド３３に通電してプランジャ３３ａを引き寄せることで揺動部材３５が揺動軸３５ａを中心に揺動して係合ピン３５ｄが閉鎖カム溝３１ｄから開放カム溝３１ｅへ移動する。このとき、開閉体３１（可動誘導体３１ｂ）を装置手前側へ回動させた開放位置（第二位置）に固定する（図８参照）。
【００２８】
図６に示すように、ケース体３２には、開閉体３１により入球開口３２ａから導入された遊技球を入賞球とする入賞口３２ｂが開放時の奥側に位置する可動誘導体３１ｂの側方に位置して設けられ、入賞口３２ｂに連通して球通路３２ｊが形成されている。即ち、入賞口３２ｂは、ケース体３２の内部空間を仕切る第二位置の可動誘導体３１ｂの下流側端部に臨むケース体３２側壁に形成されている。これにより、開閉体３１により入球開口３２ａが開放されて回転軸３１ａを介して奥側に位置する可動誘導体３１ｂがケース体３２の内部空間を仕切る底部となったときにのみ遊技球を入賞口３２ｂへ誘導して入賞させ、可動誘導体３１ｂが変位（復動）し始めた時点で可動誘導体３１ｂの下流端位置と入賞口３２ｂの位置がずれて、入賞口３２ｂへの入賞を阻止することができる。
【００２９】
また、図３（Ｅ），図４（Ｅ）に示すように球通路３２ｊには入賞口３２ｂに入賞した遊技球を検出する入賞球検出スイッチ３６（入賞球検出手段）が設けられている。入賞球検出スイッチ３６としては、例えば誘導形近接センサが好適に用いられる。入賞球検出スイッチ３６は、ケース体３２の下方（球通路３２ｊの下流側）に装着され（図３（Ａ）（Ｅ）及び図４（Ａ）（Ｅ）参照）、入賞口３２ｂから球通路３２ｊへ排出された遊技球を検出する。これにより、ケース体３２の入球開口３２ａより導入され入賞口３２ｂに入賞した遊技球の数を入賞球検出スイッチ３６により計数してソレノイド３３の駆動動作を制御することで、開閉体３１（可動誘導体３１ｂ）を閉鎖位置（第一位置）と開放位置（第二位置）の間を迅速に回動させて入球開口３２ａを開閉することができる。このため、入賞球検出スイッチ３６を入賞口３２ｂの近傍（直近）に配置することで、ソレノイド３３のより迅速な駆動制御を実現できる。
【００３０】
また、図１０（Ａ）（Ｂ）に示すように、ケース体３２の開閉体３１が設けられた下方には、入賞球検出スイッチ３６で所定個数の遊技球を検知後に、入球開口３２ａ内に導入され開閉体３１から奥側の可動誘導体３１ｂに載った遊技球を、遊技領域へ戻すための球放出通路３２ｍが設けられている。球放出通路３２ｍは仕切り壁３２ｎにより仕切られ、ケース体３２の奥側底部を入賞口３２ｂ側の側壁に向かう下り傾斜とし、その終端から入球開口３２ａ側に向かう前傾斜とした平面視Ｌ字状に形成されている（図９参照）。また、球放出通路３２ｍの放出口３２ｐは遊技盤開口６ａ（図１参照）に接続されている。球放出路３２ｍの底部は、可動誘導体３１ｂが入球開口３２ａの奥側で下方に回動して落下させた遊技球を放出口３２ｐから放出するように、放出口３２ｐ側の高さが最も低く、それより上流側に向かって漸次高さが高くなるように傾斜している。
【００３１】
入賞球検出スイッチ３６で所定個数の遊技球を検知後、図１０（Ｂ）に示すようにケース体３２の入球開口３２ａより導入され開閉体３１の奥側の可動誘導体３１ｂに遊技球が載っていたとしても、可動誘導体３１ｂの第二位置から第一位置への回動動作によって可動誘導体３１ｂがケース体３２の入球開口３２ａの奥側へ回動して遊技球が球放出通路３２ｍへ落下する。このとき、遊技球は、球放出通路３２ｍの傾斜にしたがって仕切り壁３２ｎにガイドされながら、放出口３２ｐへ流下する。そして、遊技盤開口６ａ（図１参照）に臨む放出口３２ｐを通じて遊技領域へ戻され、開閉体３１によって迅速に入球開口３２ａを閉鎖することができる（図５参照）。このため、入賞球検出スイッチ３６で所定個数の遊技球を検知後、仮に遊技球がケース体３２内にあったとしても、可動誘導体３１ｂが入賞口３２ｂに導くことはなく、可動誘導体３１ｂから球放出通路３２ｍへ落下した遊技球を放出口３２ｐ（入球開口３２ａの下方）から遊技領域に放出する。
【００３２】
また、可動誘導体３１ｂには、開閉体３１の開放時に遊技球をケース体３２に設けられた入賞口３２ｂへ誘導する傾斜、誘導壁、誘導溝等が設けられているのが好ましい。可動誘導体３１ｂに設けられる傾斜、誘導壁、誘導溝は、いずれも垂直方向の高さがカム溝３１ｃ側が高く入賞口３２ｂ側が低くなるように形成される。これにより、開閉体３１で受け止めてケース体３２の入球開口３２ａから導入された遊技球を可動誘導体３１ｂによって入賞口３２ｂへ誘導して入賞させることができる。
【００３３】
ここで、可変入賞装置（アタッカー）１５の組み付け構成例について図９を参照して説明する。図９において、ケース体３２には、開閉体３１及び可動誘導体３１ｂを収納する回転体収納部３２ｃとソレノイド３３及び駆動伝達機構３４を収納する駆動伝達収納部３２ｄが仕切り壁３２ｅにより仕切られて設けられている。回転体収部３２ｃには回転軸３１ａの一端（正面視左端）を挿入する嵌合孔３２ｆ、仕切り壁３２ｅにはカム溝３１ｃが形成された軸部を受ける凹部３２ｇ、駆動伝達収納部３２ｄ側の壁面には、回転軸３１ａの他端（正面視右端）を受ける嵌合凹部３２ｈが形成されている。
【００３４】
また、駆動伝達収納部３２ｄには、揺動軸３５ａの一方側（後側）が嵌め込まれる軸支孔３２ｉが形成されている。また、駆動伝達収納部３２ｄの前面を覆う蓋体３７には、揺動軸３５ａの他方側（前側）が嵌め込まれる軸支孔３７ａが設けられている。蓋体３７には、カム溝３１ｃが形成された軸部を受ける凹部３２ｇと対向する凹部３７ｂと、回転軸３１ａの他端（正面視右端）を受ける嵌合凹部３２ｈと対向する嵌合凹部３７ｃが各々形成されている。
【００３５】
ソレノイド３３及び揺動部材３５を駆動伝達収納部３２ｄに収納する。ソレノイド３３は、駆動伝達収納部３２ｄに横置き状態で組み付けられる。このとき、ソレノイド３３のプランジャ３３ａの先端溝部３３ｂに揺動部材３５に形成された一対の連係ピン３５ｂを係止させ、揺動軸３５ａの一方側（後側）が軸支孔３２ｉに嵌め込まれて組み付けられる。また、入賞球検出スイッチ３６を入賞口３２ｂに連なる球通路３２ｊの下端に組み付ける。入賞球検出スイッチ３６は、例えば球通路３２ｊの側方に形成された挿入口３２ｋ（図３（Ｂ）参照）から挿入されて組み付けられる。
【００３６】
また、回転体収納部３２ｃに開閉体３１及び可動誘導体３１ｂを組み付ける。回転軸３１ａの一端（左端）を嵌合孔３２ｆに挿通し、カム溝３１ｃが形成された軸部を凹部３２ｇに配置し、回転軸３１ａの他端（右端）を嵌合凹部３２ｈに嵌め込んで支持する。このとき、カム溝３１ｃの閉鎖カム溝３１ｄには、揺動アーム３５ｃに形成された係合ピン３５ｄが係合して組み付けられる。係合ピン３５ｄは常時カム溝３１ｃと係合状態を維持しながらカム溝３１ｃ内を移動するように組み付けられる。
【００３７】
最後に、蓋体３７をケース体３２の駆動伝達収納部３２ｄの前面側を覆ってビス止め、接着等により一体に組み付けられる。このとき、蓋体３７の軸支孔３７ａには、揺動軸３５ａの他方側（前側）が嵌め込まれ、カム溝３１ｃが形成された回転体軸部を凹部３２ｇと共に凹部３７ｂで受け、回転軸３１ａの他端（右端）を嵌合凹部３２ｈと共に嵌合凹部３７ｃに嵌め込んで開閉体３１及び可動誘導体３１ｂを回動可能に支持する。
以上のように組み立てられたアタッカー１５は、遊技盤６の開口部６ａ（図１参照）にケース体３２の入球開口３２ａが遊技領域に臨むように組み付けられる（図３（Ａ），図４（Ａ）参照）。尚、発光基板をケース体３２に設けて回転体収納部３２ｃ、開閉体３１及び可動誘導体３１ｂへ光照射するようにしてもよい。
【００３８】
次に、アタッカー１５の動作例について図５乃至図８を参照して説明する。
遊技者により発射ハンドル１０（図１参照）を操作して遊技が開始され、遊技球が遊技盤６の遊技領域に打ち出される。図５において、常態では、遊技領域に臨むケース体３２の入球開口３２ａは開閉体３１によって塞がれているため、遊技球はそのまま開閉体３１の前側を通過して遊技領域を流下させる。よって、遊技領域を流下する遊技球が、入球開口３２ａに入ることはない。
【００３９】
このとき、図７に示すように、ソレノイド３３はＯＦＦ状態にあり、プランジャ３３ａが突出して揺動部材３５は揺動軸３５ａを中心に反時計回り方向に傾いて係合ピン３５ｄが、カム溝３１ｃのうち閉鎖カム溝３１ｄと係合している。また、開閉体３１は、ケース体３２の入球開口３２ａを閉塞した（遊技盤６に倣った）閉鎖位置（第一位置）に保持され、可動誘導体３１ｂは、遊技球を入賞口３２ｂへ誘導することなく球放出通路３２ｍへ落下して放出口３２ｐへ流下させる第一位置に保持されている（図５参照）。
【００４０】
一方、図柄表示装置１１（図１参照）において抽選が行われ、大当たり等の所定の条件が成立すると、図８に示すように、ソレノイド３３がＯＮ状態となる。このとき、プランジャ３３ａを水平方向に引き込むため揺動部材３５は揺動軸３５ａを中心に時計回り方向に揺動させて、揺動アーム３５ｃの係合ピン３５ｄは、カム溝３１ｃ内を閉鎖カム溝３１ｄから開放カム溝３１ｅへ移動するため、開閉体３１は回転軸３１ａを中心に時計回り方向に回動して開放カム溝３１ｅに係止したまま開放位置（第二位置）に保持され、可動誘導体３１ｂは遊技球を入賞口３２ｂへ誘導する第二位置に保持されている（図６参照）。
【００４１】
これにより、図６に示すように開閉体３１は、遊技盤６（図１参照）に倣った垂直状態から入球開口３２ａの手前側に所定量回動した開放位置（第二位置）に保持されるため、ケース体３２の入球開口３２ａが開口する。このとき、遊技領域を流下した遊技球は開閉体３１に受け止められて入球開口３２ａからケース体３２に入球する。入球開口３２ａから入球した遊技球は、可動誘導体３１ｂの傾斜等によって入賞口３２ｂに誘導されて入賞し、球通路３２ｊを落下する際に入賞球検出スイッチ３６により入賞球が検出される。入賞球の検出情報は、払出制御基板２６（図２参照）へ送信される。
【００４２】
入賞検出スイッチ３６が所定数の遊技球を検出すると、ソレノイド３３への通電を停止（ＯＦＦ）して、図７に示すように、再度プランジャ３３ａがスプリングの付勢により突出するため、揺動部材３５は揺動軸３５ａを中心に反時計回り方向に回転する。このため、開放カム溝３１ｅに係合していた係合ピン３５ｄは、カム溝３１ｃを移動して閉鎖カム溝３１ｄに係合して保持される。これにより、開閉体３１は図６の回転軸３１ａを中心に時計回り方向に回動して、図５に示すように開閉体３１がケース体３２の入球開口３２ａを閉鎖する。
【００４３】
開閉体３１は入球開口３２ａ側に回転すると、揺動アーム３５ｃの係合ピン３５ｄは反対側の閉鎖カム溝３１ｄに係止してその位置（閉鎖位置）で保持される。このとき、可動誘導体３１ｂも同様に回動し、遊技球を放出口３２ｐへ流下させる第一位置に保持される。このため、入球開口３２ａは閉鎖されたままとなり、入球開口３２ａからケース体３２内に導入された遊技球も可動誘導体３１ｂの回動により入賞口３２ｂに誘導されることなく球放出通路３２ｍへ落下して放出口３２ｐから遊技領域へ流下し、入球開口３２ａの開閉時に規定数以上の遊技球を入賞させることを阻止し、遊技球の入賞個数を安定させることができる。
【００４４】
払出制御基板２６（図２参照）は、入賞口３２ｂへ入賞した所定の遊技球数に応じて球払出装置２２から球受け皿９へ所定数の賞球を払い出す。よって、大当たりが発生した場合に、球払出装置２２から払い出される賞球の数も安定する。
【００４５】
次に可変入賞装置の他の実施例について図１１及び図１２を参照して説明する。上述した実施例と同一部材には同一番号を付して説明を援用するものとする。
上述した実施例では、開閉体及び可動誘導体は、回転軸（同軸）に対向して一対の羽根として設けられていたが、遊技盤６と平行方向に軸支される回転軸を中心として各々回動可能に軸支されていてもよい。
【００４６】
図１２（Ａ）に示すように、ケース体３２の前面側には第一回転軸３１ａ１を中心に入球開口３２ａを開閉する開閉体３８が回動可能に軸支されている。また、ケース体３２の奥側には、第二回転軸３１ａ２を中心に可動誘導体３９がケース体３２内で回動可能に軸支されている。可動誘導体３９は、開閉体３８の開閉動作に連動して回動し、入球開口３２ａより入球した遊技球をケース体３２内で入賞口３２ｂへ誘導する。可動誘導体３９は、入賞口３２ｂ側が反対側（駆動装置４０側）より低くなるように傾斜している。この傾斜は、誘導壁、誘導溝或いは板厚が薄くなるように形成されていてもよい。
【００４７】
図１２（Ｂ）において、駆動装置４０（駆動手段；図１１参照）は、正逆回転駆動可能なモータＭ（駆動源）の駆動を開閉体３８及び可動誘導体３９へ各々同期をとって駆動伝達する駆動伝達機構４１（駆動伝達手段）を備えている。具体的には、駆動伝達機構４１は、モータＭの駆動軸により回転駆動される駆動ギア４ａが設けられている。この駆動ギア４１ａには、伝達ギア４１ｂを介して開閉ギア４１ｃが互いに噛み合っている。開閉ギア４１ｃは第一回転軸３１ａ１に一体に組み付けられている。また、駆動ギア４１ａには、誘導ギア４１ｄが噛み合っている。誘導ギア４１ｄは、第二回転軸３１ａ２に一体に組み付けられている。
尚、駆動装置４０は、例えば単一のモータＭ（駆動源）から開閉体３８及び可動誘導体３９へギア列を介して駆動伝達するようにしてもよいし、開閉体用駆動源、可動誘導体用駆動源を各々有しこれらの同期をとって回転駆動するようにしてもよい。
【００４８】
駆動ギア４１ａが、時計回り方向に回転すると、伝達ギア４１ｂは反時計回り方向に回転し、開閉ギア４１ｃは時計回り方向に回転する（図１２（Ｂ）破線参照）。また、誘導ギア４１ｄは反時計回り方向に回転する。このとき、開閉体３８は閉鎖位置（第一位置）へ回動し、ケース体３２の入球開口３２ａを閉鎖して遊技球のケース体３２への入球を阻止し、可動誘導体３９はケース体３２内で遊技球の放出口３２ｐへの流下を許容する第一位置へ回動し、遊技球が入賞口３２ｂへ入賞することはない。
【００４９】
また、駆動ギア４１ａが、反時計回り方向に回転すると、伝達ギア４１ｂは時計回り方向に回転し、開閉ギア４１ｃは反時計回り方向に回転する。また、誘導ギア４１ｄは時計回り方向に回転する（図１２（Ａ）参照）。このとき、開閉体３８が開放位置（第二位置）へ回動し入球開口３２ａの手前側に傾斜してケース体３２の入球開口３２ａを開放し遊技領域を流下した遊技球を受け止めて当該入球開口３２ａからケース体３２内へ誘導する。また、可動誘導体３９はケース体３２の内部空間を仕切るように遊技球を入賞口３２ｂへ誘導する第二位置へ回動し、開閉体３１で受け止めてケース体３２内に入球した遊技球を入賞口３２ｂへ誘導する。
【００５０】
以上のように、大当たりが発生して開閉体３８が開放位置（第二位置）にあり、可動誘導体３９が第二位置にあるとき、駆動装置４０は、入賞球検出スイッチ３６より検知された所定個数の遊技球が入賞したことを検知後に開閉体３８を開放位置（第二位置）から閉鎖位置（第一位置）に切り替えると同時に可動誘導体３９を入賞口３２ｂへ遊技球を誘導する第二位置から放出口３２ｐへ流下させる第一位置へ回動させて切り替える。この動作により、遊技球が可動誘導体３９に載っていたとしても、可動誘導体３９が第二位置から第一位置へ回動することによりケース体３２内の遊技球を入賞口３２ｂに誘導することなく球放出通路３２ｍに落下させて放出口３２ｐを通じて遊技領域へ流下させる。このため、遊技球の入賞口３２ｂへの入賞動作を安定させると共にケース体３２内に規定数を超える遊技球を受け入れたとしても可動誘導体３９が第二位置から第一位置へ回動して放出口３２ｐを通じて遊技領域へ流下させるので入賞口３２ｂの入賞動作の信頼性を高めることができる。
【００５１】
また、上述した実施形態では可変入賞装置を所定の条件の下で、多量の入賞球を発生させるアタッカーとして説明したが、タイマー等で計測される時間内等所定の条件の下で随時入賞口を開閉する始動入賞口や一般入賞口等に適用してもよい。また、遊技機の一例としてパチンコ機について説明したが、他の遊技球を使用する遊技機、例えば雀球遊技機やアレンジボール遊技機などに適用してもよい。
【符号の説明】
【００５２】
１  パチンコ機  ２  外枠  ３  内枠  ４ａ，４ｂ  内枠ヒンジ  ５  前面枠  ５ａ，５ｂ  前枠ヒンジ  ５ｃ  シリンダ錠  ６  遊技盤  ６ａ  遊技盤開口部  ７  窓部  ８  装飾ランプ  ９  球受け皿  １０  発射ハンドル  １１  図柄表示装置  １１ａ  センター役物  １２  スルーチャッカー  １３  風車  １４  電動チューリップ  １５  可変入賞装置（アタッカー）  １６  遊技盤レール  １７  サイドランプ  １８  アウト口  １９  貯留タンク  ２０  タンクレール  ２１  球通路  ２２  球払出装置  ２３  球払出し通路  ２４  盤裏カバー  ２５  主制御基板  ２６  払出制御基板  ２７  発射制御基板  ３１  開閉体  ３１ａ  回転軸  ３１ａ１  第一回転軸  ３１ａ２  第二回転軸  ３１ｂ  可動誘導体  ３１ｃ  カム溝  ３１ｄ  閉鎖カム溝  ３１ｅ  開放カム溝  ３２  ケース体  ３２ａ  入球開口  ３２ｂ  入賞口  ３２ｃ  回転体収納部  ３２ｄ  駆動伝達収納部  ３２ｅ  仕切り壁  ３２ｆ  嵌合孔  ３２ｇ，３７ｂ  凹部  ３２ｈ，３７ｃ  嵌合凹部  ３２ｉ，３７ａ  軸支孔  ３２ｊ  球通路  ３２ｋ  挿入口  ３２ｍ  球放出通路  ３２ｎ  仕切り壁  ３２ｐ  放出口  ３３  ソレノイド（駆動源）  ３３ａ  プランジャ  ３３ｂ  先端溝部  ３４  伝達機構（駆動伝達手段）  ３５  揺動部材（伝達部材）  ３５ａ  揺動軸  ３５ｂ  連係ピン  ３５ｃ  揺動アーム  ３５ｄ  係合ピン  ３６  入賞球検出スイッチ（入賞球検出手段）  ３７  蓋体  ３８  開閉体  ３９  可動誘導体  ４０  駆動装置  ４１  駆動伝達機構（駆動伝達手段）  ４１ａ  駆動ギア  ４１ｂ  伝達ギア  ４１ｃ  開閉ギア  ４１ｄ  誘導ギア  Ｍ  モータ（駆動源）
【図１】
2016022207.tif 000003
【図２】
2016022207.tif 000004
【図３】
2016022207.tif 000005
【図４】
2016022207.tif 000006
【図５】
2016022207.tif 000007
【図６】
2016022207.tif 000008
【図７】
2016022207.tif 000009
【図８】
2016022207.tif 000010
【図９】
2016022207.tif 000011
【図１０】
2016022207.tif 000012
【図１１】
2016022207.tif 000013
【図１２】
2016022207.tif 000014